(57)【要約】【課題】従来の合成樹脂製シートよりなるスイッチパネルと異り、合成樹脂シート材製であり乍ら、スイッチを押圧したとき、より良いクリック感を感得でき、スイッチ操作を確実に行えるスイッチパネルを提供することを課題とする。【解決手段】合成樹脂製シート材に縦断面山形状で、上に凸のリング状の堰を設け、この堰内皿状凹部に軟質透明樹脂を充填した。【選択図】　　　図１
2004139865.tif 000002
【特許請求の範囲】
【請求項１】
合成樹脂製シート材に縦断面山形状で上に凸のリング状堰を設け、この堰内皿状凹部に透明の軟質樹脂を充填したことを特徴とするスイッチパネル。
【請求項２】
リング状堰に囲まれた皿状凹部の底部を該皿状凹部を形成するシート材の本体部底面より浮上させた請求項１記載のスイッチパネル。
【請求項３】
リング状堰は傾斜外側辺と傾斜内側辺とからなり、傾斜外側辺の剛性により、スイッチを押したときクリック感を得ることができるようにしたことを特徴とする請求項１記載のスイッチパネル。
【請求項４】
傾斜外側辺をシート材の本体部に対し下向傾斜辺を以て接続した請求項３記載のスイッチパネル。
【請求項５】
傾斜外側辺をシート材から立上らせて段付きとし、該段付部を円弧を以て接続した請求項３記載のスイッチパネル。
【発明の詳細な説明】
【０００１】
【発明の属する技術分野】
本発明は、合成樹脂製のスイッチパネルに関するものである。
【０００２】
【従来の技術】
電子・電気機器分野におけるタッチ式スイッチパネルにおいて、プラスチックフィルムとこれと一体の合成樹脂成形体とからなるスイッチパネルは知られている。これは、合成樹脂成形体に打抜き状の空間を形成してあり、この空間部に裏側から積層フィルムが平面もしくは上部がなだらかで上方に盛り上った曲面をなして表出している。そして、この表面に表出した部分をスイッチの押圧部としたものである（例えば特許文献１参照）。
また、図５に示すごとく、合成樹脂材たとえばＰＥＴ等のシート材１１の表面に印刷材によってリング状の堰１２を設け、このリング状堰１２内に軟質樹脂１３を充たして、スイッチ押圧部としたものもしられている。このスイッチパネルはパネルの周縁を両面テープ１４で、相手部材１５に貼り付けて使用する。そして押圧部を相手部材１５内に設けたスイッチ部１６に対向させ、押圧部を図５の矢印の如く押圧することによってスイッチを「オン」「オフ」させる。
【０００３】
このようなスイッチパネルはその押圧部を矢印方向に押したとき、平板状のシート材１１の弾性で下方に撓むだけでいわゆるクリック（ｃｌｉｃｋ）感を感ずることなく、スイッチを確実に押したという実感にとぼしい。即ち、「カシャ」「ペコッ」という感じがなく、指で押したという実感にとぼしいものであった。またスイッチを押さなくてもスイッチが常時入ってしまったり、スイッチが入るまでのストロークが足りず、スイッチが入らないというような不具合の生じることもあった。
【０００４】
さらには、図６に示す如く、押圧部を形成するシート材１１のみを用い、シート材１１の表面に堰を設けず、従って軟質樹脂も充填しないタイプのスイッチパネルもあったが、これでは、さらにクリック感がない上に、押圧部が破れることもあった。
【０００５】
【特許文献１】
第３０２４４６１号登録実用新案公報（第２頁段落００１４〜段落００１９，図２，図３）
【０００６】
【発明が解決しようとする課題】
従来のスイッチパネルと異り、合成樹脂シート材製であり乍ら、スイッチを押圧したとき、クリック感を感得でき、スイッチ操作を確実に行えるスイッチパネルを提供することを課題とする。
【０００７】
【課題を解決するための手段】
合成樹脂製シート材に縦断面山形状で上に凸のリング状堰を設け、この堰内皿状凹部に透明の軟質樹脂を充填した。
また、リング状堰に囲まれた皿状凹部の底部を該皿状凹部を形成するシート材の本体部底面より浮上させた。
また、リング状堰は傾斜外側辺と傾斜内側辺とからなり、傾斜外側辺の剛性により、スイッチを押したときクリック感を得ることができるようにした。
また、傾斜外側辺をシート材の本体部に対し下向傾斜辺を以て接続した。
そしてまた、傾斜外側辺をシート材から立上らせて段付きとし、該段付部を円弧を以て接続した。
【０００８】
【発明の実施の形態】
図１〜図４にもとづいて説明する。
図１は本発明にかかわるスイッチパネルの部分縦断面図、図２は同じくパネル平面図である。図１で、１は合成樹脂たとえばＰＥＴ等のシート材、２はシート材１に形成された上に凸の断面山形状の堰である。堰２は平面形状は円形又は楕円形のリング状をなし、上に凸に形成されている。堰２は図３に示すごとく、傾斜外側辺２ａと傾斜内側辺２ｂが頂部で交わっている。そして、傾斜外側辺２ａの傾斜角度αは傾斜内側辺の傾斜角より小である。傾斜外側辺２ａと傾斜内側辺２ｂとで形成される堰２で囲まれた部分は皿状凹部３をなし、ここに樹脂が充填される。皿状凹部３に軟質樹脂４が充填されると、図４・ｄの如く、透明樹脂４が上方に膨出し、堰２の尖鋭頂部は透明樹脂の縁部で覆われて丸味を帯び指先に違和感を感じさせることはない。皿状凹部３の底部２ｃはシート材１の下面より浮上している（図３・ｃのｈ参照）。
【０００９】
図２はたとえば家電製品用のスイッチパネルで、図１の如く形成された複数個（６個）の皿状凹部３に軟質樹脂４をポッティングした状態を示している。
【００１０】
図４は上に説明したスイッチパネルの製法を示し、次の１）〜５）の順序で成形され、電気製品等の操作部に両面テープで貼って使用する。
１）図４・ａ…均一な厚みのＰＥＴ等のシート材１を用意する。
２）図４・ｂ…シート材の裏面に所要印刷層５を形成する。
３）図４・ｃ…エンボス加工を施してリング状の堰２を形成する。
４）リング状の堰２の皿状凹部３に透明樹脂４をポッティングし充填する。
５）両面テープ６で相手部品に貼り付ける。
【００１１】
以上のようにして貼り付けられたスイッチパネルによれば、リング状堰２の傾斜外側辺２ａの剛性により、透明樹脂３の部分を押したとき、皿状凹部３の底３が相手スイッチ部３’に接しいわゆる「ペコ」というクリック感を感得でき、スイッチ操作の行われたことを操作者は確認できる。
【００１２】
図５は本発明の第２実施形態である。
本実施形態においては、堰２が設けられ、弧の堰に囲まれた皿状状部３に軟質樹脂４が充填される点は同じである。異る点は堰２を構成する傾斜外側片２ａとシート材１との間に段差７（高さｉ）を設けた点である。なおこの段差７の部分は円弧で接続することが好ましい。この段差部を設けたことで、合成樹脂材料に腰を持たせることができ、上から押したとき、より良いクリック感を得ることができる。
【００１３】
【発明の効果】
１）傾斜外側辺と傾斜外側辺とで上に凸の縦断面山形状のリング状堰を設けたので、堰の外側辺の適度の剛性により、合成樹脂製のスイッチであっても適度のクリック感を得ることができ、操作の確実性を確認することができる。
２）リング状堰の内側底面をシート材の底面より浮上させたので、リング状堰を構成する傾斜外側辺の剛性によってクリック作用をより向上させることができる利点と共に、相手部材側に設けた上に凸のスイッチ部に対し具合よく納めることができ、組立上も好適である。
３）外側傾斜片をシート材から立上らせ、かつこの部分を円弧を以て接続したので、より良いクリック感を得ることができるようになった。
【図面の簡単な説明】
【図１】本発明に関わるスイッチパネルの部分縦断面図。
【図２】スイッチパネルの全体平面図。
【図３】スイッチパネルの拡大図。
【図４】スイッチパネルの製造方法を示す工程図。
【図５】本発明の第２実施形態。
【図６】公知スイッチパネルの断面図。
【図７】公知シート材のみのスイッチパネル。
【符号の説明】
１　シート材　　　　　　　　　　２　堰
２ａ　傾斜外側辺　　　　　　　　　２ｂ　傾斜内側辺
２ｃ　皿状凹部の底部
３　皿状凹部　　　　　　　　　　４　軟質樹脂
５　所要印刷層　　　　　　　　　６　両面テープ
【図１】
2004139865.tif 000003
【図２】
2004139865.tif 000004
【図３】
2004139865.tif 000005
【図４】
2004139865.tif 000006
【図５】
2004139865.tif 000007
【図６】
2004139865.tif 000008
【図７】
2004139865.tif 000009